(57)【要約】【課題】携帯情報端末がユーザの手元にない場合にも、その携帯情報端末に発生したイベントをリアルタイムにユーザに通知できるイベント通知システムを提供する。【解決手段】検知手段８１は、携帯情報端末８０自身の機能に基づいて発生させたイベント若しくは外部通信機器から信号を受信した旨のイベントを検知する。検知情報送信手段８２は、検知手段８１がイベントを検知したときに、検知したイベントに応じて定められる検知情報を制御サーバ９０に送信する。制御内容記憶手段９１は、イベントを携帯情報端末のユーザに通知するために行う電気機械器具の制御内容を検知情報に応じて記憶する。制御手段９２は、携帯情報端末８０から検知情報を受信したときに、制御内容記憶手段９１に記憶された検知情報に対応する制御内容に従って電気機械器具を制御する。【選択図】図１０
2010141732.tif 000002
【特許請求の範囲】
【請求項１】
携帯情報端末と、
電気機械器具を制御可能な制御サーバとを備え、
携帯情報端末は、
当該携帯情報端末自身の機能に基づいて発生させたイベント若しくは外部通信機器から信号を受信した旨のイベントを検知する検知手段と、
前記検知手段がイベントを検知したときに、検知したイベントに応じて定められた検知情報を前記制御サーバに送信する検知情報送信手段を備え、
前記制御サーバは、
前記イベントを携帯情報端末のユーザに通知するために行う電気機械器具の制御内容を前記検知情報に応じて記憶する制御内容記憶手段と、
携帯情報端末から前記検知情報を受信したときに、前記制御内容記憶手段に記憶された当該検知情報に対応する前記制御内容に従って電気機械器具を制御する制御手段とを備えた
ことを特徴とするイベント通知システム。
【請求項２】
携帯情報端末は、
電気機械器具に出力させるための音情報を制御サーバへ送信する音情報送信手段を備え、
制御サーバは、
前記音情報を携帯情報端末から受信したときに、当該音情報を電気機械器具に転送する音情報転送手段を備え、
制御手段は、電気機械器具を、音情報を出力可能な状態にする
請求項１記載のイベント通知システム。
【請求項３】
音情報送信手段は、音声伝送プロトコルを使用して音情報を制御サーバに送信し、
音情報転送手段は、前記音声伝送プロトコルを使用して音情報を電気機械器具に転送する
請求項２記載のイベント通知システム。
【請求項４】
音情報転送手段は、音声伝送プロトコルを使用して送信された音情報に電気機械器具が対応していない場合、当該音情報を当該電気機械器具が出力可能な形式の信号に変換して当該電気機械器具に転送する
請求項３記載のイベント通知システム。
【請求項５】
制御サーバは、
音情報転送手段が電気機械器具に音情報を転送して当該音情報に対する応答信号を電気機械器具から受信したときに、携帯情報端末と当該電気機械器具との通信を確立させる通信確立手段を備え、
携帯情報端末は、電話機であり、
前記通信確立手段が電気機械器具との通信を確立させたときに、外部の電話機から受信した音声情報を電気機械器具に送信する音声情報送信手段を備えた
請求項２から請求項４のうちのいずれか１項に記載のイベント通知システム。
【請求項６】
制御サーバは、
制御サーバと携帯情報端末との接続状態に応じて定められる電気機械器具を制御するための制御条件と、前記制御条件を満たす場合の制御内容とを対応付けて記憶する制御条件記憶手段を備え、
制御手段は、
携帯情報端末が前記制御条件を満たすときに、前記制御条件記憶手段に記憶された当該制御条件に対応する制御内容に従って電気機械器具を制御する
請求項１から請求項５のうちのいずれか１項に記載のイベント通知システム。
【請求項７】
検知情報送信手段は、非接触型ＩＣカードリーダを使用して検知情報を管理サーバに送信する
請求項１から請求項６のうちのいずれか１項に記載のイベント通知システム。
【請求項８】
電気機械器具を制御可能な制御サーバであって、
携帯情報端末が当該携帯情報端末自身の機能に基づいて発生させたイベントの検知若しくは外部通信機器から信号を受信した旨のイベントの検知に応じて定められた検知情報と、前記イベントを前記携帯情報端末のユーザに通知するために行う電気機械器具の制御内容とを対応付けて記憶する制御内容記憶手段と、
携帯情報端末から前記検知情報を受信したときに、前記制御内容記憶手段に記憶された当該検知情報に対応する前記制御内容に従って電気機械器具を制御する制御手段とを備えた
ことを特徴とする制御サーバ。
【請求項９】
電気機械器具に出力させるための音情報を携帯情報端末から受信したときに、当該音情報を電気機械器具に転送する音情報転送手段を備え、
制御手段は、電気機械器具を、音情報を出力可能な状態にする
請求項８記載の制御サーバ。
【請求項１０】
携帯情報端末自身の機能に基づいて発生させたイベント若しくは外部通信機器から信号を受信した旨のイベントを検知する検知手段と、
前記検知手段がイベントを検知したときに、検知したイベントに応じて定められた検知情報に対し当該イベントを携帯情報端末のユーザに通知するために電気機械器具ごとに予め定めた制御内容に従って電気機械器具を制御する制御サーバに当該検知情報を送信する検知情報送信手段を備えた
ことを特徴とする携帯情報端末。
【請求項１１】
電気機械器具に出力させるための音情報を制御サーバへ送信する音情報送信手段を備えた
請求項１０記載の携帯情報端末。
【請求項１２】
携帯情報端末が、当該携帯情報端末自身の機能に基づいて発生させたイベント若しくは外部通信機器から信号を受信した旨のイベントを検知する検知ステップと、
携帯情報端末が、前記検知ステップでイベントを検知したときに、検知したイベントに応じて定められた検知情報を、電気機械器具を制御可能な制御サーバに送信する検知情報送信ステップと、
前記制御サーバが、携帯情報端末から前記検知情報を受信したときに、前記検知情報ごとに前記イベントを携帯情報端末のユーザに通知するために電気機械器具に対して予め定めた制御内容に従って電気機械器具を制御する制御ステップとを含む
ことを特徴とするイベント通知方法。
【請求項１３】
携帯情報端末が、電気機械器具に出力させるための音情報を制御サーバへ送信する音情報送信ステップと、
制御サーバが、前記音情報を携帯情報端末から受信したときに、当該音情報を電気機械器具に転送する音情報転送ステップとを含み、
制御ステップで、電気機械器具を、音情報を出力可能な状態にする
請求項１２記載のイベント通知方法。
【請求項１４】
電気機械器具を制御可能な制御サーバが、携帯情報端末が当該携帯情報端末自身の機能に基づいて発生させたイベントの検知若しくは外部通信機器から信号を受信した旨のイベントの検知に応じて定められた検知情報を携帯情報端末から受信する受信ステップと、
前記制御サーバが、前記検知情報を受信したときに、前記イベントを前記携帯情報端末のユーザに通知するために行う電気機械器具の制御内容であって前記検知情報ごとに予め定められた制御内容に従って電気機械器具を制御する制御ステップとを含む
ことを特徴とする制御方法。
【請求項１５】
電気機械器具に出力させるための音情報を携帯情報端末から受信したときに、当該音情報を電気機械器具に転送する音情報転送ステップを含み、
制御ステップで、電気機械器具を、音情報を出力可能な状態にする
請求項１４記載の制御方法。
【請求項１６】
携帯情報端末自身の機能に基づいて発生させたイベント若しくは外部通信機器から信号を受信した旨のイベントを検知し、
イベントを検知したときに、検知したイベントに応じて定められた検知情報に対し当該イベントを携帯情報端末のユーザに通知するために電気機械器具ごとに予め定めた制御内容に従って電気機械器具を制御する制御サーバに当該検知情報を送信する
ことを特徴とする情報送信方法。
【請求項１７】
電気機械器具に出力させるための音情報を制御サーバへ送信する
請求項１６記載の情報送信方法。
【請求項１８】
電気機械器具を制御可能なコンピュータに搭載される制御プログラムであって、
前記コンピュータに、
携帯情報端末が当該携帯情報端末自身の機能に基づいて発生させたイベントの検知若しくは外部通信機器から信号を受信した旨のイベントの検知に応じて定められた検知情報を携帯情報端末から受信する受信処理、および、
前記検知情報を受信したときに、前記イベントを前記携帯情報端末のユーザに通知するために行う電気機械器具の制御内容であって前記検知情報ごとに予め定められた制御内容に従って電気機械器具を制御する制御処理
を実行させるための制御プログラム。
【請求項１９】
コンピュータに、
電気機械器具に出力させるための音情報を携帯情報端末から受信したときに、当該音情報を電気機械器具に転送する音情報転送処理を実行させ、
制御処理で、電気機械器具を、音情報を出力可能な状態にさせる
請求項１８記載の制御プログラム。
【請求項２０】
コンピュータに、
コンピュータ自身の機能に基づいて発生させたイベント若しくは外部通信機器から信号を受信した旨のイベントを検知する検知処理、および、
前記検知処理でイベントを検知したときに、検知したイベントに応じて定められた検知情報に対し当該イベントをコンピュータのユーザに通知するために電気機械器具ごとに予め定めた制御内容に従って電気機械器具を制御する制御サーバに当該検知情報を送信する検知情報送信処理
を実行させるための情報送信プログラム。
【請求項２１】
コンピュータに、
電気機械器具に出力させるための音情報を制御サーバへ送信する音情報送信処理
を実行させる請求項２０記載の情報送信プログラム。
う
【発明の詳細な説明】
【技術分野】
【０００１】
本発明は、携帯情報端末に発生したイベントを他の機器に通知するイベント通知システム、およびそのイベント通知システムに適用される制御サーバ、携帯情報端末、イベント通知方法、制御方法、情報送信方法、制御プログラム及び情報送信プログラムに関する。
【背景技術】
【０００２】
携帯情報端末はコミュニケーションツールとして利用され、音声やメールの着信などでは即時の応答が求められることが多い。また、近年では携帯情報端末の多機能化が進み、携帯情報端末は、目覚まし時計として若しくは個人のスケジュールを通知するツールとして使用されている。
【０００３】
また、特許文献１には屋内家電機器制御装置が記載されている。特許文献１に記載された屋内家電機器制御装置は、自動車に搭載される通信端末と携帯電話を介して無線通信が可能である。屋内家電機器制御装置には、ネットワークを介して複数の家電機器が接続され、通信端末が設定する予約に応じて家電機器の動作を制御する。また、ナビゲーション装置は、自宅への到着予定時間を算出して家電機器を動作させる時間を設定する。
【０００４】
【特許文献１】特開２００２−６４８８１号公報（段落００６８、００７５、００７８、図１、図３）
【発明の開示】
【発明が解決しようとする課題】
【０００５】
自宅などのプライベートな場所において、例えば、携帯情報端末を充電する場合や、部屋を移動する場合、もしくは入浴する場合など、携帯情報端末を身辺から離した場所に置くことがある。このような場合には、携帯情報端末に発生するイベント（例えば、音声やメールの着信、スケジュールアラームや目覚まし機能による鳴動など）に気付かない場合が多い。また、携帯情報端末が身辺の近くにある場合であっても、携帯情報端末のマナーモードの解除忘れなどにより、これらのイベントに気付かないこともある。
【０００６】
また、特許文献１に記載された屋内家電機器制御装置は、ユーザが屋内家電機器を制御する設定を予め行った場合、その設定時刻に屋内家電機器を制御してユーザにイベントを通知できる。しかし、上記屋内家電機器制御装置は、ユーザが設定しないイベントについては屋内家電機器を制御できないため、設定されていないイベントをユーザに通知することができないという課題がある。
【０００７】
そこで、本発明は、携帯情報端末がユーザの手元にない場合にも、その携帯情報端末に発生したイベントをユーザにリアルタイムに通知できるイベント通知システム、およびそのイベント通知システムに適用される制御サーバ、携帯情報端末、イベント通知方法、制御方法、情報送信方法、制御プログラム及び情報送信プログラムを提供することを目的とする。
【課題を解決するための手段】
【０００８】
本発明によるイベント通知システムは、携帯情報端末と、電気機械器具を制御可能な制御サーバとを備え、携帯情報端末が、携帯情報端末自身の機能に基づいて発生させたイベント若しくは外部通信機器から信号を受信した旨のイベントを検知する検知手段と、検知手段がイベントを検知したときに、検知したイベントに応じて定められた検知情報を制御サーバに送信する検知情報送信手段を備え、制御サーバが、イベントを携帯情報端末のユーザに通知するために行う電気機械器具の制御内容を検知情報に応じて記憶する制御内容記憶手段と、携帯情報端末から検知情報を受信したときに、制御内容記憶手段に記憶された検知情報に対応する制御内容に従って電気機械器具を制御する制御手段とを備えたことを特徴とする。
【０００９】
本発明による制御サーバは、電気機械器具を制御可能な制御サーバであって、携帯情報端末が携帯情報端末自身の機能に基づいて発生させたイベントの検知若しくは外部通信機器から信号を受信した旨のイベントの検知に応じて定められた検知情報と、イベントを携帯情報端末のユーザに通知するために行う電気機械器具の制御内容とを対応付けて記憶する制御内容記憶手段と、携帯情報端末から検知情報を受信したときに、制御内容記憶手段に記憶された検知情報に対応する制御内容に従って電気機械器具を制御する制御手段とを備えたことを特徴とする。
【００１０】
本発明による携帯情報端末は、携帯情報端末自身の機能に基づいて発生させたイベント若しくは外部通信機器から信号を受信した旨のイベントを検知する検知手段と、検知手段がイベントを検知したときに、検知したイベントに応じて定められた検知情報に対しイベントを携帯情報端末のユーザに通知するために電気機械器具ごとに予め定めた制御内容に従って電気機械器具を制御する制御サーバに検知情報を送信する検知情報送信手段を備えたことを特徴とする。
【００１１】
本発明によるイベント通知方法は、携帯情報端末が、携帯情報端末自身の機能に基づいて発生させたイベント若しくは外部通信機器から信号を受信した旨のイベントを検知する検知ステップと、携帯情報端末が、検知ステップでイベントを検知したときに、検知したイベントに応じて定められた検知情報を、電気機械器具を制御可能な制御サーバに送信する検知情報送信ステップと、制御サーバが、携帯情報端末から検知情報を受信したときに、検知情報ごとにイベントを携帯情報端末のユーザに通知するために電気機械器具に対して予め定めた制御内容に従って電気機械器具を制御する制御ステップとを含むことを特徴とする。
【００１２】
本発明による制御方法は、電気機械器具を制御可能な制御サーバが、携帯情報端末が携帯情報端末自身の機能に基づいて発生させたイベントの検知若しくは外部通信機器から信号を受信した旨のイベントの検知に応じて定められた検知情報を携帯情報端末から受信する受信ステップと、制御サーバが、検知情報を受信したときに、イベントを携帯情報端末のユーザに通知するために行う電気機械器具の制御内容であって検知情報ごとに予め定められた制御内容に従って電気機械器具を制御する制御ステップとを含むことを特徴とする。
【００１３】
本発明による情報送信方法は、携帯情報端末自身の機能に基づいて発生させたイベント若しくは外部通信機器から信号を受信した旨のイベントを検知し、イベントを検知したときに、検知したイベントに応じて定められた検知情報に対しイベントを携帯情報端末のユーザに通知するために電気機械器具ごとに予め定めた制御内容に従って電気機械器具を制御する制御サーバに検知情報を送信することを特徴とする。
【００１４】
本発明による制御プログラムは、電気機械器具を制御可能なコンピュータに搭載される制御プログラムであって、
コンピュータに、
携帯情報端末が携帯情報端末自身の機能に基づいて発生させたイベントの検知若しくは外部通信機器から信号を受信した旨のイベントの検知に応じて定められた検知情報を携帯情報端末から受信する受信処理、および、
検知情報を受信したときに、イベントを携帯情報端末のユーザに通知するために行う電気機械器具の制御内容であって検知情報ごとに予め定められた制御内容に従って電気機械器具を制御する制御処理
を実行させることを特徴とする。
【００１５】
本発明による情報送信プログラムは、コンピュータに、コンピュータ自身の機能に基づいて発生させたイベント若しくは外部通信機器から信号を受信した旨のイベントを検知する検知処理、および、検知処理でイベントを検知したときに、検知したイベントに応じて定められた検知情報に対しイベントをコンピュータのユーザに通知するために電気機械器具ごとに予め定めた制御内容に従って電気機械器具を制御する制御サーバに検知情報を送信する検知情報送信処理を実行させることを特徴とする。
【発明の効果】
【００１６】
本発明によれば、携帯情報端末がユーザの手元にない場合にも、その携帯情報端末に発生したイベントをユーザにリアルタイムに通知できる。
【発明を実施するための最良の形態】
【００１７】
以下、本発明の実施形態を図面を参照して説明する。
【００１８】
図１は、本発明によるイベント通知システムの一実施形態を示すブロック図である。本実施形態におけるイベント通知システムは、ホームサーバ２０と、家庭内機器群Ｅ０とを備えている。ホームサーバ２０と家庭内機器群Ｅ０とは、通信ネットワーク１０４を介して接続される。通信ネットワーク１０４は、家屋内程度の範囲に構築される小規模ネットワークであり、例えば、ＤＬＮＡ（Digital Living Network Alliance ）ガイドラインに準拠して構成される。また、ホームサーバ２０は、インターネット１０１、ＰＳＴＮ（Public Switched Telephone Networks）１０２、ＩＳＰ（Internet Services Provider）網１０３などの通信ネットワークと接続する。
【００１９】
家庭内機器群Ｅ０に含まれる家庭内機器として、例えば、ＩＰ（Internet Protocol ）電話機Ｅ１と、コントロールパネルＥ２と、パーソナルコンピュータＥ３と、オーディオ装置Ｅ４と、スピーカＥ５と、テレビジョン受像機Ｅ６と、目覚まし時計Ｅ７と、無線ＬＡＮアクセスポイントＥ８と、冷蔵庫Ｅ９と、電子レンジＥ１０（以下、これらＩＰ電話機Ｅ１〜電子レンジＥ１０をまとめて、家庭内配置機器と記す。）と、携帯情報端末Ｅ１１等がある。ただし、家庭内配置機器は、上述した機器に限定されない。家庭内配置機器は、通信ネットワーク１０４に接続され、ホームサーバ２０と通信を行う。また、携帯情報端末Ｅ１１は、無線ＬＡＮアクセスポイントＥ８と無線通信を行い、通信ネットワーク１０４を介してホームサーバ２０と通信を行う。携帯情報端末Ｅ１１は、例えば、携帯ゲーム機器Ｅ１１ａや携帯音楽端末Ｅ１１ｂ、携帯電話機Ｅ１１ｃなどによって実現されるが、携帯情報端末Ｅ１１はこれらの機器に限定されない。
【００２０】
図２は、本発明による携帯情報端末Ｅ１１の一実施形態を示すブロック図である。本実施形態における携帯情報端末Ｅ１１は、無線通信部１１と、メモリ部１２と、制御部１３と、ユーザインタフェース部１４とを備えている。無線通信部１１と、メモリ部１２と、制御部１３と、ユーザインタフェース部１４とは、バス１５を介して接続される。
【００２１】
無線通信部１１は、無線ＬＡＮアクセスポイントＥ８及び通信ネットワーク１０４を介してホームサーバ２０と通信を行う。また、無線通信部１１は、インターネット１０１、ＰＳＴＮ１０２、ＩＳＰ網１０３などの通信ネットワークと無線通信を行い、ホームサーバ２０と通信を行ってもよい。
【００２２】
メモリ部１２は、携帯情報端末Ｅ１１のユーザを識別するユーザＩＤや、パスワード、着信メロディなどを記憶する記憶装置である。
【００２３】
制御部１３は、携帯情報端末Ｅ１１自身の機能に基づいて発生させたイベントを検知して、そのイベントに応じた情報（以下、検知情報と記す。）を、ホームサーバ２０に送信する。例えば、携帯情報端末Ｅ１１が目覚まし鳴動を行う機能を備えている場合、制御部１３が、目覚まし鳴動のイベントを検知して、そのイベントを示す検知情報をホームサーバ２０に送信する。
【００２４】
また、制御部１３は、無線通信部１１が外部通信機器からの信号を受信すると、受信したイベントに応じた情報（検知情報）を、ホームサーバ２０に送信する。例えば、無線通信部１１が、外部の基地局（図示せず）から電子メールや音声呼を受信すると、制御部１３はメール着信や音声呼を受信した旨のイベントを検知して、そのイベントの検知情報をホームサーバ２０に送信する。
【００２５】
制御部１３は、ＣＰＵ（Central Processing Unit ）やＲＯＭ（Read Only Memory）ＲＡＭ（Random Access Memory）などによって実現され、携帯情報端末Ｅ１１を制御する。制御部１３のＣＰＵは、例えば、ＲＯＭなどに記憶されたプログラム（携帯プログラム）を読み込み、そのプログラムに従って動作する。
【００２６】
ユーザインタフェース部１４は、携帯情報端末Ｅ１１のユーザが制御部１３に対して指示を行う入力デバイスや、制御部１３の処理結果を出力する出力装置を含む。ユーザインタフェース部１４は、例えば、キーボード等の入力デバイスやディスプレイ装置等の出力装置であるが、ユーザインタフェース部１４はキーボード等やディスプレイ装置等に限定されない。ユーザインタフェース部１４は、例えば、タッチパネル等の入出力装置であってもよい。
【００２７】
図３は、本発明によるホームサーバ２０の一実施形態を示すブロック図である。本実施形態におけるホームサーバ２０は、ユーザインタフェース処理部２１と、認証処理部２２と、データ管理処理部２３と、呼制御処理部２４と、インタフェース処理部２５と、データベース群２６とを備えている。
【００２８】
ユーザインタフェース処理部２１は、外部の装置からの入力信号を検知し、その入力信号に応じて、認証処理部２２、データ管理処理部２３、呼制御処理部２４、インタフェース処理部２５に各処理を実行させる。また、ユーザインタフェース処理部２１は、これらの処理部が処理した結果や、データベース群２６に記憶させる情報を入力する画面（以下、情報入力画面と記す。）などを外部の装置に出力させる。例えば、ユーザインタフェース処理部２１は、コントロールパネルＥ２からの入力を検知して、認証処理部２２、データ管理処理部２３、呼制御処理部２４、インタフェース処理部２５に各処理を実行させてもよい。また、例えば、ユーザインタフェース処理部２１は、コントロールパネルＥ２の表示部（図示せず）に、情報入力画面などを表示させてもよい。
【００２９】
データ管理処理部２３は、携帯情報端末Ｅ１１が検知するイベントの情報、及びホームサーバ２０に接続される家庭内配置機器の情報から情報入力画面を生成する。例えば、データ管理処理部２３が情報入力画面を生成すると、ユーザインタフェース処理部２１は、その情報入力画面をコントロールパネルＥ２の表示部（図示せず）に表示させる。また、データ管理処理部２３は、例えば、その情報入力画面を介して入力された情報をデータベース群２６に記憶させる。
【００３０】
データベース群２６は、ユーザ情報データベース（以下、ＤＢと記す。）２６１と、ユーザデータＤＢ２６２と、認証情報ＤＢ２６３と、データ管理設定ＤＢ２６４とを備える記憶装置である。ユーザ情報ＤＢ２６１は、携帯情報端末Ｅ１１のユーザを識別するユーザＩＤなどや、ユーザのプロフィール情報などを記憶する。ユーザデータＤＢ２６２は、ユーザがあらかじめ登録した画像や音楽情報、動画やアドレス帳、スケジュールデータなどを記憶する。
【００３１】
認証情報ＤＢ２６３は、ホームサーバ２０が携帯情報端末Ｅ１１を認証するための認証ＩＤやパスワードなどを記憶する。認証情報ＤＢ２６３は、例えば、認証ＩＤやパスワードなどをユーザＩＤと対応付けて記憶する。
【００３２】
データ管理設定ＤＢ２６４は、携帯情報端末Ｅ１１から送信される検知情報に応じた家庭内配置機器の制御情報や、携帯情報端末Ｅ１１の接続状態などの条件に応じた家庭内配置機器の制御情報を記憶する。制御情報は、どの家庭内配置機器に、どのような制御を行うか定義する情報である。制御情報は、例えば、コントロールパネルＥ２などの入力装置を介して入力される。例えば、ユーザインタフェース処理部２１がコントロールパネルＥ２に情報入力画面を表示し、ユーザインタフェース処理部２１が検知情報の入力を検知したときに、データ管理処理部２３がその入力情報をデータ管理設定ＤＢ２６４に記憶させてもよい。
【００３３】
図４は、検知情報をデータ管理設定ＤＢ２６４に記憶させるために表示する画面の例を示す説明図である。図４に示す画面は、例えば、ホームサーバ２０が、「電話着信」と「メール着信」のイベントを示す検知情報を受信したときに、どの家庭内配置機器（「スピーカ（キッチン）」〜「目覚まし時計」）に、どのような制御（「アラーム通知」もしくは「メロディ転送」）を行うかを入力させるために使用される。例えば、ユーザインタフェース処理部２１は、ユーザが検知情報を設定したことを検知すると、その入力した情報をデータ管理設定ＤＢ２６４に記憶させるよう、データ管理処理部２３に登録処理を実行させる。
【００３４】
本実施形態では、データベース群２６に、ユーザ情報ＤＢ２６１と、ユーザデータＤＢ２６２と、認証情報ＤＢ２６３と、データ管理設定ＤＢ２６４を含んでいる場合について説明しているが、データベース群２６の構成は、上記内容に限定されない。
【００３５】
認証処理部２２は、携帯情報端末Ｅ１１の認証を行い、携帯情報端末Ｅ１１とホームサーバ２０との接続を確立させるか否かを判断するため携帯情報端末Ｅ１１を認証する。認証処理部２２は、例えば、認証情報ＤＢ２６３に記憶される認証ＩＤ及びパスワードを使用して携帯情報端末Ｅ１１の認証を行ってもよい。例えば、ホームサーバ２０が携帯情報端末Ｅ１１のユーザの認証ＩＤ及びパスワードを受信したときに、認証処理部２２がその認証ＩＤ及びパスワードが認証情報ＤＢ２６３に記憶された認証ＩＤ及びパスワードと一致するか否かを判断して認証してもよい。ただし、認証処理部２２が認証を行う方法は上記方法に限定されない。
【００３６】
このように、あらかじめ認証情報ＤＢ２６３に認証に関する情報を記憶させ、認証処理部２２が携帯情報端末Ｅ１１を認証した場合に、ホームサーバ２０は、その後の携帯情報端末Ｅ１１からの通信を受け付ける。なお、以下の説明では、携帯情報端末Ｅ１１が認証処理部２２による認証に成功し、ホームサーバ２０に接続が可能になったことを、携帯情報端末Ｅ１１がホームサーバ２０に帰属したと記すこともある。
【００３７】
インタフェース処理部２５は、ＬＡＮや無線ＬＡＮなどの通信ネットワークを介して、ＩＰ電話機Ｅ１や携帯情報端末Ｅ１１、パーソナルコンピュータＥ３や無線ＬＡＮアクセスポイントＥ８などと情報を送受信する。また、インタフェース処理部２５は、ＩＳＰ網１０３やインターネット１０１などの通信ネットワークを介して、他の装置と情報を送受信する。例えば、インタフェース処理部２５が通信ネットワークを介してデータを受信すると、ユーザインタフェース処理部２１、認証処理部２２、データ管理処理部２３及び呼制御処理部２４にその受信したデータの種類に応じて処理を実行させる。また、インタフェース処理部２５は、ユーザインタフェース処理部２１、認証処理部２２、データ管理処理部２３、呼制御処理部２４及びインタフェース処理部２５自身が処理した結果に従い、家庭内配置機器に制御情報を送信する。
【００３８】
例えば、ホームサーバ２０が携帯情報端末Ｅ１１から送信された検知情報を受信すると、インタフェース処理部２５は、データ管理設定ＤＢ２６４に記憶された制御情報をもとに家庭内配置機器を制御する。例えば、ホームサーバ２０が携帯情報端末Ｅ１１から送信された検知情報を受信すると、データ管理処理部２３がその検知情報に対応する制御情報をデータ管理設定ＤＢ２６４から読み取る。インタフェース処理部２５は、その制御情報の内容に従って、家庭内配置機器を制御する。
【００３９】
また、インタフェース処理部２５は、携帯情報端末Ｅ１１の接続状態などの条件に応じて家庭内配置機器を制御してもよい。例えば、条件として「携帯情報端末Ｅ１１がホームサーバ２０に帰属した場合」が設定され、その条件を満たす場合に「照明を点灯させる」とする制御情報が設定されている場合を例に説明する。この場合、携帯情報端末Ｅ１１がホームサーバ２０との認証に成功する（すなわち、携帯情報端末Ｅ１１がホームサーバ２０に帰属する）と、データ管理処理部２３が「照明を点灯させる」旨の制御情報をデータ管理設定ＤＢ２６４から読み取る。インタフェース処理部２５は、その内容に従い、照明を点灯させるように制御する。
【００４０】
呼制御処理部２４は、携帯情報端末Ｅ１１から送信された着信メロディや、音声情報を家庭内配置機器に転送するための制御を行う。例えば、携帯情報端末Ｅ１１が、メール着信や音声呼を受信した旨のイベントを示す検知情報とともに、そのイベント発生時に携帯情報端末Ｅ１１が出力する着信メロディをホームサーバ２０に送信する。このとき、呼制御処理部２４は、その着信メロディを家庭内配置機器に転送するよう制御する。さらに、呼制御処理部２４は、携帯情報端末と電気機械器具との通信を確立させて、携帯情報端末Ｅ１１が受信した音声情報を家庭内配置機器に転送する。
【００４１】
ユーザインタフェース処理部２１と、認証処理部２２と、データ管理処理部２３と、呼制御処理部２４と、インタフェース処理部２５とは、例えば、プログラム（制御プログラム）に従って動作するホームサーバ２０のＣＰＵによって実現される。例えば、プログラムは、ホームサーバ２０のデータベース群２６に記憶され、ＣＰＵは、そのプログラムを読み取り、プログラムに従ってユーザインタフェース処理部２１、認証処理部２２、データ管理処理部２３、呼制御処理部２４、及びインタフェース処理部２５として動作してもよい。
【００４２】
以下の説明では、携帯情報端末Ｅ１１が、通信ネットワーク１０４に接続された無線ＬＡＮアクセスポイントＥ８及び通信ネットワーク１０４を介してホームサーバ２０に接続する場合について説明する。ただし、携帯情報端末Ｅ１１は、通信ネットワーク１０４に接続されている場合に限定されない。例えば、携帯情報端末Ｅ１１がインターネット１０１、ＰＳＴＮ１０２、ＩＳＰ網１０３に接続され、これらの通信ネットワークを介してホームサーバ２０と通信を行ってもよい。
【００４３】
また、本例では、ホームサーバ２０が、家庭内配置機器以外の機器の場合について説明するが、家庭内配置機器の１つ（例えば、冷蔵庫Ｅ９など）がホームサーバ２０として機能してもよい。
【００４４】
次に、動作について説明する。図５は、携帯情報端末Ｅ１１がホームサーバ２０に帰属する処理の例を示すシーケンス図である。なお、以下の説明では、データ管理設定ＤＢ２６４に「携帯情報端末Ｅ１１のユーザが帰宅した場合に、照明を点灯させる」とする内容の制御情報が記憶されているものとする。また、携帯情報端末Ｅ１１は、既に無線ＬＡＮに接続が可能になっている（すなわち、携帯情報端末Ｅ１１が無線ＬＡＮアクセスポイントＥ８と接続が可能になっている）ものとする。
【００４５】
例えば、携帯情報端末Ｅ１１は、ホームサーバ２０に帰属するため、定期的に若しくは携帯情報端末Ｅ１１のユーザの明示的な指示により、ユーザＩＤなどを付加した接続要求信号（以下、ＲＥＧＩＳＴＥＲと記す。）をホームサーバに送信する。（ステップＳ１１）。ホームサーバ２０がＲＥＧＩＳＴＥＲを受信すると、例えば、認証処理部２２は、そのＲＥＧＩＳＴＥＲに、認証ＩＤやパスワードが含まれているかチェックする。例えば、ＲＥＧＩＳＴＥＲに認証ＩＤやパスワードが含まれていない場合、認証処理部２２は、認証ＩＤ等を要求するための要求信号（以下、Ｕｎａｕｔｈｏｒｉｓｅｄと記す。）を携帯情報端末Ｅ１１に送信する（ステップＳ１２）。携帯情報端末Ｅ１１は、Ｕｎａｕｔｈｏｒｉｓｅｄを受信すると認証ＩＤ等を付加したＲＥＧＩＳＴＥＲを再度ホームサーバ２０に送信する（ステップＳ１３）。ホームサーバ２０がＲＥＧＩＳＴＥＲを受信すると、認証処理部２２は、そのＲＥＧＩＳＴＥＲに、認証ＩＤやパスワードが含まれているかチェックする。例えば、受信した認証ＩＤ及びパスワードが認証情報ＤＢ２６３に記憶された認証ＩＤ及びパスワードと一致する場合、認証処理部２２は認証成功と判断し、成功した旨の情報を携帯情報端末Ｅ１１に送信する（ステップＳ１４）。なお、認証処理部２２が認証失敗と判断した場合には、失敗した旨の情報を携帯情報端末Ｅ１１に送信すればよい。
【００４６】
本実施形態では、携帯情報端末Ｅ１１は、家屋内の通信ネットワーク１０４に接続された無線ＬＡＮアクセスポイントＥ８及び通信ネットワーク１０４を介してホームサーバ２０に接続する。そのため、携帯情報端末Ｅ１１の認証が成功し、携帯情報端末Ｅ１１がホームサーバ２０に帰属した場合、ホームサーバ２０は、携帯情報端末Ｅ１１のユーザが家屋内に存在している（すなわち、帰宅条件を満たす）と判断できる。そこで、インタフェース処理部２５は、認証が成功したことを検知すると、携帯情報端末Ｅ１１のユーザが帰宅したと判断する。データ管理処理部２３は「照明を点灯させる」旨の制御情報をデータ管理設定ＤＢ２６４から読み取る。インタフェース処理部２５は、その内容に従って制御するための情報（例えば、点灯コマンド）を家庭内配置機器に送信し、（ステップＳ１５）照明を点灯させる（すなわち、照明のスイッチをオンにする）（ステップＳ１６）。
【００４７】
なお、ホームサーバ２０に帰属した携帯情報端末Ｅ１１は、ホームサーバ２０に、定期的にＲＥＧＩＳＴＥＲを送信してもよい。ホームサーバ２０は、定期的にＲＥＧＩＳＴＥＲを受信することで、携帯情報端末１１がホームサーバ２０に帰属していると判断できる。
【００４８】
すなわち、ホームサーバ２０に帰属した携帯情報端末Ｅ１１が、ホームサーバ２０に帰属後も定期的にホームサーバ２０にＲＥＧＩＳＴＥＲを送信することにより、ホームサーバ２０は、携帯情報端末Ｅ１１のユーザが在宅又は不在であると判断できる。具体的には、インタフェース処理部２５は、携帯情報端末Ｅ１１がホームサーバ２０に帰属している場合に「在宅」であると判断し、携帯情報端末Ｅ１１がホームサーバ２０に帰属していない場合に「不在」であると判断することができる。
【００４９】
さらに、ユーザ情報ＤＢ２６１が帰宅条件を別途記憶し、インタフェース処理部２５がその帰宅条件を判断して、家庭内配置機器を制御してもよい。具体的には、帰宅条件として、「ホームサーバ２０に帰属してすぐ（すなわち、「在宅」であることを検知してすぐ」、「ホームサーバ２０に帰属して３分後（例えば、忘れ物を取りに帰った場合等を考慮）」、「ホームサーバ２０に帰属後、一度帰属していることを検知できない状態（例えば、圏外など）になって、再度ホームサーバ２０に帰属（例えば、カーポートでホームサーバ２０に帰属し、玄関に移動するまでに一度圏外になり、再度ホームサーバ２０に帰属する場合など）」等を設定してもよい。インタフェース処理部２５は、これらの条件を満たす制御情報をデータ管理設定ＤＢから読み取って家庭内配置機器を制御する。
【００５０】
上記説明では、帰宅条件を満たしたときに、インタフェース処理部２５が照明を点灯させる場合について説明した。他にも、帰宅条件を満たしたときに、インタフェース処理部２５が空調や風呂などの家電機器を動作させてもよい。
【００５１】
また、上記説明では、ユーザ情報ＤＢ２６１が帰宅条件を記憶し、インタフェース処理部２５は、その帰宅条件に基づいて家庭内配置機器を制御する場合について説明した。ユーザ情報ＤＢ２６１は、他に、バッテリー切れを判断する条件や、外出時の動作を判断する条件を記憶し、インタフェース処理部２５は、その条件に基づいて家庭内配置機器を制御してもよい。
【００５２】
例えば、外出やバッテリー切れ等のイベントにより、ホームサーバ２０に帰属していない状態（以下、帰属外れと記す。）から、一定時間が経過したときに、家庭内配置機器を動作させ（例えば、鳴動させ）、ユーザに上記イベントを通知してもよい。さらに、ユーザに通知後、一定時間内に再度ホームサーバ２０に帰属していない場合、インタフェース処理部２５は、ユーザが外出したと判断することができる。この場合、外出時に停止させたい家電製品（例えば、照明など）が稼働状態であれば、これを停止する制御情報をデータ管理設定ＤＢ２６４に設定してもよい。
【００５３】
また、上記説明では、携帯情報端末Ｅ１１が無線ＬＡＮを介してホームサーバ２０に帰属する場合について説明したが、携帯情報端末Ｅ１１がホームサーバ２０に帰属する方法は、無線ＬＡＮを使用する場合に限定されない。例えば、通信ネットワーク１０４に非接触型ＩＣカードリーダが接続され、非接触型ＩＣカードリーダは携帯情報端末Ｅ１１が備えるＩＣカードリーダから各種情報を読み取ることにより、携帯情報端末Ｅ１１をホームサーバ２０に帰属させてもよい。具体的には、携帯情報端末Ｅ１１のメモリ部１２がＩＣカードによって実現され、非接触型ＩＣカードリーダがそのＩＣカードに記憶された情報を読み取り、読み取った情報をホームサーバ２０に送信して、携帯情報端末Ｅ１１をホームサーバ２０に帰属させてもよい。若しくは、携帯情報端末Ｅ１１は、ＵＳＢ／ＵＡＲＴ（（Universal Serial Bus／Universal Asynchronous Receiver Transmitter ）による有線接続によってホームサーバ２０に帰属してもよい。
【００５４】
図６は、携帯情報端末Ｅ１１にメール着信等のイベントが発生した場合の処理の例を示すシーケンス図である。以下の説明では、携帯情報端末Ｅ１１はホームサーバ２０に既に帰属している状態にあるものとする。
【００５５】
携帯情報端末Ｅ１１が、メールの着信を検知する（ステップＳ２１）と、制御部１３は検知情報（以下、ＮＯＴＩＦＹと記すこともある。）をホームサーバ２０に送信する（ステップＳ２２）。ホームサーバ２０は検知情報を受信すると、インタフェース処理部２５は、データ管理設定ＤＢ２６４に設定された制御情報に従い、家屋内に配置されたスピーカＥ５などの家庭内配置機器を鳴動させるよう制御する（ステップＳ２３）。インタフェース処理部２５は、家庭内配置機器が予め備える機能に対して制御する。例えば、家庭内配置機器が、アラーム音を出力する機能を備えている場合、インタフェース処理部２５は、アラーム音出力のオン／オフを制御する。ホームサーバ２０は、制御した家庭内配置機器から受信した応答（ステップＳ２４）を、携帯情報端末Ｅ１１に送信する（ステップＳ２５）。こうすることにより、携帯情報端末Ｅ１１と異なる部屋や風呂場などにユーザがいる場合でも、メール着信等のイベントを通知することができる。
【００５６】
また、インタフェース処理部２５は、携帯情報端末Ｅ１１自身の機能に基づいて発生させたイベントを検知して家庭内配置機器を制御してもよい。例えば、携帯情報端末Ｅ１１が目覚まし機能やスケジュールアラーム機能を備えている場合、インタフェース処理部２５は、それらの機能に基づいて発生させたイベントに応じた検知情報を受信し、その検知情報に応じて家庭内配置機器を制御してもよい。
【００５７】
図７は、携帯情報端末Ｅ１１の着信メロディを転送する場合の処理の例を示すシーケンス図である。携帯情報端末Ｅ１１がメール着信等のイベントを検知する（ステップＳ３１）と、携帯情報端末Ｅ１１は、検知情報として、例えば、コーデック情報等のＳＤＰ（Session Description Protocol）を含んだセッション参加リクエスト（以下、ＩＮＶＩＴＥと記す。）をホームサーバ２０に送信する（ステップＳ３２）。ホームサーバ２０が検知情報を受信すると、呼制御処理部２４は、例えば、ホームサーバ２０から送信されるＩＮＶＩＴＥに対する最終レスポンスの確認信号（以下、ＡＣＫと記す。）により、コーデックのネゴシエーションを行う。ネゴシエーションに成功すると、呼制御処理部２４は、携帯情報端末Ｅ１１に成功した旨の通知を行う（ステップＳ３３）。また、インタフェース処理部２５は鳴動させるスピーカなどの家庭内配置機器の電源をオンにする（ステップＳ３４）。
【００５８】
携帯情報端末Ｅ１１は、ネゴシエーションに成功した旨の通知を受信すると、例えば、ＲＴＰ（Real-time Transport Protocol）などの音声伝送プロトコルを使用してホームサーバ２０に着信メロディを送信する（ステップＳ３５）。呼制御処理部２４は、データ管理設定ＤＢ２６４に設定された制御情報に従い、ＲＴＰを使用して送信された着信メロディを、そのままスピーカなどの家庭内配置機器に転送する（ステップＳ３６）。着信メロディを受け取った家庭内配置機器は、その着信メロディを出力する（ステップＳ３７）。
【００５９】
なお、着信メロディの転送先の家庭内配置機器がＲＴＰ非対応の場合、呼制御処理部２４は、ＲＴＰを終端してＤ／Ａコンバータなどを用いてアナログ信号等に変換し、そのアナログ信号等を家庭内配置機器に転送すればよい。
【００６０】
その後、例えば、携帯情報端末Ｅ１１がメロディ停止の指示を検知して（ステップＳ３８）ホームサーバ２０にその旨の信号を送信する（ステップＳ３９）と、インタフェース処理部２５は鳴動させるスピーカなどの家庭内配置機器の電源をオフにする（ステップＳ４０）。また、呼制御処理部２４は、携帯情報端末Ｅ１１に処理が完了した旨の通知を行う（ステップＳ４１）。
【００６１】
なお、上記説明では、音声伝送プロトコルとしてＲＴＰを使用する場合を例に説明したが、音声伝送プロトコルはＲＴＰに限定されない。
【００６２】
携帯情報端末Ｅ１１のユーザは、音声情報や電子メールの発信者に応じた着信メロディを携帯情報端末Ｅ１１に出力させる設定を行うことがある。このような場合であっても、携帯情報端末Ｅ１１が発信者に応じた着信メロディをホームサーバ２０に送信することにより、発信者に応じた着信メロディを家庭内配置機器に出力することができる。
【００６３】
図８は、携帯情報端末Ｅ１１が受信する音声を家庭内配置機器に転送する場合の処理の例を示すシーケンス図である。以下の説明では、音声を転送する家庭内配置機器をＩＰ電話機Ｅ１として説明する。携帯情報端末Ｅ１１が音声呼のイベントを検知する（ステップＳ５１）と、携帯情報端末Ｅ１１は、ＩＮＶＩＴＥをホームサーバ２０に送信する（ステップＳ５２）。ホームサーバ２０が検知情報を受信すると、呼制御処理部２４は、ＩＮＶＩＴＥをＩＰ電話機Ｅ１に転送する（ステップＳ５３）。ホームサーバ２０は、ＩＰ電話機Ｅ１がＩＮＶＩＴＥを受信し、その応答として送信する信号（例えば、Session Progressなど）を受信し（ステップＳ５４）、その信号を携帯情報端末Ｅ１１に転送する（ステップＳ５５）。携帯情報端末Ｅ１１は、その信号によりコーデックのネゴシエーションを行う。ネゴシエーションに成功すると、携帯情報端末Ｅ１１は、例えば、ＲＴＰを使用し、ホームサーバ２０を介して着信メロディをＩＰ電話機Ｅ１に送信する（ステップＳ５６）。ＩＰ電話機Ｅ１は、受信した着信メロディを着信音として再生する（ステップＳ５７）。
【００６４】
ホームサーバ２０は、ＩＰ電話機Ｅ１が呼び出し中であることを携帯情報端末Ｅ１１に伝えるための暫定応答（以下、Ｒｉｎｇｉｎｇと記す。）をＩＰ電話機Ｅ１から受信すると（ステップＳ５８）、携帯情報端末Ｅ１にその暫定応答を転送する（ステップＳ５９）。その後、ホームサーバ２０は、ＩＰ電話機Ｅ１がオフフックされ（ステップＳ６０）、メロディ鳴動の停止を示す信号を受信する（ステップＳ６１）と、その信号を携帯情報端末Ｅ１１に転送する（ステップＳ６２）。携帯情報端末Ｅ１１は、その信号を受信すると、着信メロディの送信を停止し、音声通話に切り替える。これらの処理によって、携帯情報端末Ｅ１１とＩＰ電話機Ｅ１と通信が可能になった状態を、通信が確立した状態ということができる。携帯情報端末Ｅ１１とＩＰ電話機Ｅ１とは、例えば、ＲＴＰを使用してその音声通話を送受信する（ステップＳ６３）。こうすることにより、外部の電話機から携帯情報端末Ｅ１１宛に音声着信があってもＩＰ電話機Ｅ１を使用して通話することができる。
【００６５】
例えば、ＩＰ電話機Ｅ１が、オンフックして通話を終了させ（ステップＳ６４）、ホームサーバ２０に通話終了を示す信号（以下、ＢＹＥと記す。）を送信すると（ステップＳ６５）、ホームサーバ２０は、その信号を携帯情報端末Ｅ１１に転送する（ステップＳ６６）。携帯情報端末Ｅ１１は、その信号に応答した旨の信号をホームサーバ２０に送信し（ステップＳ６７）、ホームサーバ２０は、その信号をＩＰ電話機Ｅ１に転送する（ステップＳ６８）。なお、携帯情報端末Ｅ１１がオンフックして通話を終了させた場合、携帯情報端末Ｅ１１は、ＩＰ電話機Ｅ１への音声情報の転送をキャンセルするための信号をホームサーバ２０へ送信してもよい。
【００６６】
このような動作により、ＩＰ電話機Ｅ１は、例えば、ＰＳＴＮ１０３などの電話網を介して受信した音声着信であっても、ＩＳＰ網１０２などのインターネット回線を介して受信したデータと判断して処理を行うことができる。すなわち、ＩＰ電話機Ｅ１は、例えば、ＦＡＸ機能や自動応答機能を持つ留守番電話機能などの機能をそのまま使用できる。また、携帯情報端末Ｅ１１は、例えば、ＦＡＸへのデータ転送が可能であるため、発信側は携帯情報端末Ｅ１１宛にＦＡＸを送信できるように見える。そのため、発信側が携帯情報端末Ｅ１１宛にＦＡＸを送信しても、携帯情報端末Ｅ１１のユーザはデータ転送したＦＡＸで情報を受信できる。
【００６７】
なお、上記説明では、音声伝送プロトコルとしてＲＴＰを使用する場合を例に説明したが、音声伝送プロトコルはＲＴＰに限定されない。
【００６８】
図９は、携帯情報端末Ｅ１１を操作して、ホームサーバ２０の制御情報等を設定する処理の例を示すシーケンス図である。例えば、ユーザインタフェース部１４がホームサーバ２０に対する制御情報等設定開始の要求を検知する（ステップＳ７１）と、制御部１３はホームサーバ２０に情報登録に関する要求信号（以下、ＳＵＢＳＣＲＩＢＥと記す。）を送信する（ステップＳ７２）。ＳＵＢＳＣＲＩＢＥには、端末側で設定が必要な情報（以下、端末設定情報と記す。）が含まれる。端末設定情報は、例えば、携帯情報端末Ｅ１１が検知するイベントの内容などであるが、端末設定情報は、イベントの内容に限定されない。
【００６９】
ホームサーバ２０は、ＳＵＢＳＣＲＩＢＥを受信すると、データ管理処理部２３は、端末設定情報とホームサーバ２０に接続される家庭内配置機器の情報をもとに、例えば、図４の例に示す画面を生成する。ホームサーバ２０は、例えば、作成した画面を参照可能なＵＲＬ（Uniform Resource Locator）を含んだイベント通知信号（以下、ＮＯＴＩＦＹと記す。）を携帯情報端末Ｅ１１に送信する（ステップＳ７３）。携帯情報端末Ｅ１１は、このＮＯＴＩＦＹを受信すると、例えば、ユーザの指示に応じ、制御部１３は受信したＵＲＬにアクセスして（ステップＳ７４）、ユーザインタフェース部１４にその画面を表示させる（ステップＳ７５）。
【００７０】
制御部１３は、ユーザインタフェース部１４を介して入力された設定情報（ステップＳ７６）をホームサーバ２０に送信する（ステップＳ７７）。データ管理処理部２３は、ホームサーバ２０が受信した情報をデータベース群２６の各ＤＢに記憶させる（ステップＳ７８，７９）。
【００７１】
上記説明では、携帯情報端末Ｅ１１のユーザインタフェース部１４を介して制御情報を入力する場合について説明したが、制御情報の入力方法は上記場合に限定されない。例えば、ホームサーバ２０のユーザインタフェース処理部２１がコントロールパネルＥ２などの出力装置に表示させた画面を介して制御情報を入力してもよい。この場合、ホームサーバ２０は、携帯情報端末Ｅ１１にＳＵＢＳＣＲＩＢＥを送信して端末設定情報を問い合わせる。ホームサーバ２０は、端末設定情報を含んだＮＯＴＩＦＹを受信すると、データ管理処理部２３は、端末設定情報とホームサーバ２０に接続される家庭内配置機器の情報をもとに、例えば、図４の例に示す画面を生成する。ユーザインタフェース処理部２１は、生成した画面を、例えば、コントロールパネルＥ２などの出力装置に出力させる。例えば、携帯情報端末Ｅ１１のユーザが上記画面を介して制御情報を入力すると、データ管理処理部２３は、入力された制御情報をデータベース群２６の各ＤＢに記憶させる。また、インタフェース処理部２５は、設定した情報を携帯情報端末Ｅ１１に送信してもよい。
【００７２】
本発明によれば、携帯情報端末Ｅ１１が、携帯情報端末Ｅ１１自身の機能に基づいて発生させたイベント若しくは外部通信機器から信号を受信した旨のイベントを検知したときに、検知したイベントに応じて定められた検知情報を、ホームサーバ２０に送信する。そして、ホームサーバ２０が携帯情報端末Ｅ１１から検知情報を受信すると、受信した検知情報に応じて予め定めた制御内容に従って家庭内配置機器を制御する。そのため、携帯情報端末Ｅ１１を家屋内のどこに設置していても、携帯情報端末Ｅ１１で発生したイベントを携帯情報端末Ｅ１１のユーザに通知することができる。
【００７３】
また、携帯情報端末Ｅ１１が、家庭内配置機器に出力させるための着信メロディをホームサーバ２０へ送信し、ホームサーバ２０が、着信メロディを受信したときに、その着信メロディを家庭内配置機器に転送する。そして、インタフェース処理部２５が、家庭内配置機器に転送した着信メロディをその家庭内配置機器に出力させる。そのため、音声情報や電子メールの着信に応じて携帯情報端末Ｅ１１に設定した着信メロディを、家庭内配置機器でその設定のまま通知を受けることができる。
【００７４】
さらに、ホームサーバ２０が、転送した着信メロディに対する応答信号を家庭内配置機器から受信したときに、携帯情報端末Ｅ１１と家庭内配置機器との通信を確立させ、携帯情報端末Ｅ１１が、家庭内配置機器との通信が確立したときに、音声情報を家庭内配置機器に送信する。そのため、ＩＰ電話機Ｅ１は、例えば、ＦＡＸ機能や自動応答機能を持つ留守番電話機能などの機能をそのまま使用できる。また、携帯情報端末Ｅ１１は、例えば、ＦＡＸへのデータ転送が可能であるため、発信側は携帯情報端末Ｅ１１宛にＦＡＸを送信できるように見える。そのため、発信側が携帯情報端末Ｅ１１宛にＦＡＸを送信しても、携帯情報端末Ｅ１１のユーザはデータ転送したＦＡＸで情報を受信できる。
【００７５】
さらに、ホームサーバ２０が、ホームサーバ２０と携帯情報端末Ｅ１１との接続状態に応じて定められる制御条件を満たすときに、その制御条件に応じた制御内容に従って家庭内配置機器を制御する。そのため、例えば、ユーザの帰宅や外出に合わせて家庭内配置機器を自動制御できる。
【００７６】
図１０は、本発明におけるイベント通知システムの概要を示すブロック図である。本発明によるイベント通知システムは、携帯情報端末８０（例えば、携帯情報端末Ｅ１１）と電気機械器具を制御可能な制御サーバ９０（例えば、ホームサーバ２０）とを備えている。
【００７７】
携帯情報端末８０は、携帯情報端末８０自身の機能に基づいて発生させたイベント（例えば、目覚まし鳴動）若しくは外部通信機器から信号を受信した旨のイベント（例えば、電子メールや音声呼の受信）を検知する検知手段８１（例えば、無線通信部１１、制御部１３）と、検知手段８１がイベントを検知したときに、検知したイベントに応じて定められた検知情報を制御サーバ９０に送信する検知情報送信手段８２（例えば、制御部１３）を備えている。
【００７８】
制御サーバ９０は、イベントを携帯情報端末８０のユーザに通知するために行う電気機械器具（例えば、家庭内配置機器）の制御内容（例えば、照明を点灯させる、スピーカを鳴動させる、スピーカの電源をオン／オフする）を検知情報に応じて記憶する制御内容記憶手段９１（例えば、データ管理設定ＤＢ２６４）と、携帯情報端末８０から検知情報を受信したときに、制御内容記憶手段９１に記憶された検知情報に対応する制御内容に従って電気機械器具を制御する制御手段９２（例えば、ステップＳ１５，Ｓ２３，Ｓ３４，Ｓ４０を実行するインタフェース処理部２５）とを備えている。
【００７９】
そのような構成により、携帯情報端末がユーザの手元にない場合にも、その携帯情報端末に発生したイベントをリアルタイムにユーザに通知できる。
【００８０】
また、上記実施形態には、携帯情報端末８０が、電気機械器具に出力させるための音情報（例えば、着信メロディ）を制御サーバ９０へ送信する音情報送信手段（例えば、制御部１３）を備え、制御サーバ９０が、音情報を携帯情報端末８０から受信したときに、その音情報を電気機械器具に転送する音情報転送手段（例えば、呼制御処理部２４）を備え、制御手段９２が、電気機械器具を、音情報を出力可能な状態にする（例えば、ステップＳ３４におけるスピーカの電源をオンにする）構成が開示されている。
【００８１】
また、音情報送信手段が、音声伝送プロトコル（例えば、ＲＴＰ）を使用して音情報を制御サーバに９０送信し、音情報転送手段が、音声伝送プロトコルを使用して音情報を電気機械器具に転送してもよい。
【００８２】
また、音情報転送手段が、音声伝送プロトコルを使用して送信された音情報に電気機械器具が対応していない場合（例えば、ＲＴＰ非対応の場合）、音情報をその電気機械器具が出力可能な形式の信号に変換（例えば、Ｄ／Ａコンバータを用いてアナログ信号に変換）して電気機械器具に転送してもよい。
【００８３】
また、上記実施形態には、制御サーバ９０が、音情報転送手段が電気機械器具に音情報を転送して音情報に対する応答信号（例えば、Session Progress）を電気機械器具から受信したときに、携帯情報端末と電気機械器具との通信を確立させる通信確立手段（例えば、呼制御処理部２４）を備え、携帯情報端末８１が、電話機であり、電気通信確立手段が電気機械器具との通信を確立させたときに、外部の電話機から受信した音声情報を電気機械器具に送信する音声情報送信手段（例えば、制御部１３）を備えた構成が開示されている。
【００８４】
また、上記実施形態には、制御サーバ９０が、制御サーバ９０と携帯情報端末８０との接続状態（例えば、携帯情報端末８０が制御サーバ９０に帰属しているか否かなど。）に応じて定められる電気機械器具を制御するための制御条件（例えば、帰宅条件）と、制御条件を満たす場合の制御内容とを対応付けて記憶する制御条件記憶手段（例えば、ユーザ情報ＤＢ２６１）を備え、制御手段９１が、携帯情報端末８０が制御条件を満たすときに、制御条件記憶手段に記憶された制御条件に対応する制御内容に従って電気機械器具を制御する構成が開示されている。
【００８５】
また、検知情報送信手段８２は、非接触型ＩＣカードリーダを使用して検知情報を管理サーバ９０に送信してもよい。
【産業上の利用可能性】
【００８６】
本発明は、携帯情報端末に発生したイベントを他の機器に通知するイベント通知システムに好適に適用される。
【図面の簡単な説明】
【００８７】
【図１】イベント通知システムの一実施形態を示すブロック図である。
【図２】携帯情報端末Ｅ１１の一実施形態を示すブロック図である。
【図３】ホームサーバ２０の一実施形態を示すブロック図である。
【図４】検知情報を記憶させるために表示する画面の例を示す説明図である。
【図５】携帯情報端末Ｅ１１がホームサーバ２０に帰属する処理の例を示すシーケンス図である。
【図６】携帯情報端末Ｅ１１にメール着信等のイベントが発生した場合の処理の例を示すシーケンス図である。
【図７】携帯情報端末Ｅ１１の着信メロディを転送する場合の処理の例を示すシーケンス図である。
【図８】携帯情報端末Ｅ１１が受信する音声を家庭内配置機器に転送する場合の処理の例を示すシーケンス図である。
【図９】ホームサーバ２０の制御情報等を設定する処理の例を示すシーケンス図である。
【図１０】本発明におけるイベント通知システムの概要を示すブロック図である。
【符号の説明】
【００８８】
１１  無線通信部
１２  メモリ部
１３  制御部
１４  ユーザインタフェース部
１５  バス
２０  ホームサーバ
２１  ユーザインタフェース処理部
２２  認証処理部
２３  データ管理処理部
２４  呼制御処理部
２５  インタフェース処理部
２６  データベース群
Ｅ０  家庭内機器群
Ｅ１  ＩＰ電話機
Ｅ２  コントロールパネル
Ｅ８  無線ＬＡＮアクセスポイント
Ｅ１１  携帯情報端末
１０１  インターネット
１０２  ＰＳＴＮ
１０３  ＩＳＰ網
１０４  通信ネットワーク
【図１】
2010141732.tif 000003
【図２】
2010141732.tif 000004
【図３】
2010141732.tif 000005
【図４】
2010141732.tif 000006
【図５】
2010141732.tif 000007
【図６】
2010141732.tif 000008
【図７】
2010141732.tif 000009
【図８】
2010141732.tif 000010
【図９】
2010141732.tif 000011
【図１０】
2010141732.tif 000012